(57)【要約】【課題】一部分のみが異なり他部分が共通するドキュメントを複数作成する場合における作業負担と所要時間を低減する。【解決手段】画像形成装置１０は、画像読取部１７と、操作部としてのタッチパネル１５と、画像読取部１７による読取で得られた原稿画像におけるオブジェクト合成領域の指定をタッチパネル１５により受け付ける合成領域受付部２２と、オブジェクト合成領域に合成するオブジェクトを複数取得するデータ変換部２３と、当該取得されたオブジェクトを示すオブジェクト画像を、原稿画像における上記オブジェクト合成領域に合成することで、オブジェクト画像が合成された出力用合成画像を、上記複数のオブジェクトのそれぞれについて作成する画像作成部２４とを備える。【選択図】図２Ａ
2018038007.tif 000002
【特許請求の範囲】
【請求項１】
原稿の画像を読み取る画像読取部と、
ユーザーから操作指示が入力される操作部と、
前記画像読取部による原稿読取で得られた原稿画像の領域上においてオブジェクトが合成されるオブジェクト合成領域の指定を前記操作部に入力される指示に基づいて受け付ける合成領域受付部と、
前記オブジェクト合成領域に合成するオブジェクトを複数取得するオブジェクト取得部と、
前記オブジェクト取得部に取得されたオブジェクトを示すオブジェクト画像を、前記原稿画像における、前記合成領域受付部により指定が受け付けられているオブジェクト合成領域に合成して、前記オブジェクト画像が合成された出力用合成画像を、前記複数のオブジェクトのそれぞれについて作成する画像作成部と、を備える情報処理装置。
【請求項２】
前記画像読取部による原稿読取で得られた前記各原稿画像を、当該各原稿画像について前記合成領域受付部により指定が受け付けられたそれぞれのオブジェクト合成領域と対応付けて記憶するデータ記憶部と、
前記データ記憶部に記憶されている前記各原稿画像の中から、前記オブジェクト画像の合成の対象とする原稿画像の指定を受け付ける原稿画像受付部とを備え、
前記画像作成部は、前記原稿画像受付部によって受け付けられた指定が示す原稿画像を前記データ記憶部から読み出して、前記オブジェクト画像を、当該読み出した原稿画像における前記オブジェクト合成領域に合成する請求項１に記載の情報処理装置。
【請求項３】
前記オブジェクト取得部は、前記オブジェクトが記載された原稿を前記画像読取部が読み取った読取画像をＯＣＲ変換して得たキャラクターデータを、前記オブジェクトとして取得する請求項１又は請求項２に記載の情報処理装置。
【請求項４】
請求項１乃至請求項３のいずれかに記載の情報処理装置と、
記録媒体上に画像を形成する画像形成部と、
前記出力用合成画像を前記画像形成部に画像形成させる制御部と、を備える画像形成装置。
【請求項５】
請求項１乃至請求項３のいずれかに記載の情報処理装置と、当該情報処理装置と通信可能に接続された第２情報処理装置とを備えた画像処理システムであって、
前記第２情報処理装置は、前記オブジェクトの指定をユーザーから受け付けて前記情報処理装置に送信するオブジェクト送信部を備え、
前記情報処理装置の前記オブジェクト取得部が、前記第２情報処理装置から送信されてくる前記オブジェクトを取得する画像処理システム。
【発明の詳細な説明】
【技術分野】
【０００１】
本発明は、元原稿の画像から、これを加工した新たな原稿画像を作成する技術に関する。
【背景技術】
【０００２】
例えば、各種の届出用紙や証明書、表彰状のように、名前部分等の記載が異なり、他の記載部分が共通する複数のドキュメントを作成したい場合がある。この場合、当該他の記載部分の画像を有する共通のフォーマットを用いて、作成したいドキュメント毎に、名前等を示すテキストや画像を挿入する作業を行うことにより、名前部分等を異ならせた複数枚の印刷物を名前等毎に作成している。ここで、下記特許文献１には、スキャナーによって読み込まれたフォーマットと印字データとを合成して出力する技術が記載されている。
【先行技術文献】
【特許文献】
【０００３】
【特許文献１】特開平７−２６４３９３号公報
【発明の概要】
【発明が解決しようとする課題】
【０００４】
上記のように、名前部分等のみの記載が異なり、他の記載部分が共通する複数枚の印刷物を作成する場合、作成する印刷物毎に、名前等を示すテキストや画像を挿入する作業が必要なので、印刷物の作成に手間と時間を要していた。また、特許文献１に記載されている技術は、上記フォーマットと印字データとを合成することはできるが、名前部分等のみの記載が異なり他の記載部分が共通する複数の印刷物を作成する場合における上記手間及び時間を軽減できるものではない。
【０００５】
本発明は、上記の事情に鑑みてなされたものであり、一部分のみが異なり他部分が共通するドキュメントを複数作成する場合における作業負担と所要時間を低減することを目的とする。
【課題を解決するための手段】
【０００６】
本発明の一局面にかかる情報処理装置は、原稿の画像を読み取る画像読取部と、ユーザーから操作指示が入力される操作部と、前記画像読取部による原稿読取で得られた原稿画像の領域上においてオブジェクトが合成されるオブジェクト合成領域の指定を前記操作部に入力される指示に基づいて受け付ける合成領域受付部と、前記オブジェクト合成領域に合成するオブジェクトを複数取得するオブジェクト取得部と、前記オブジェクト取得部に取得されたオブジェクトを示すオブジェクト画像を、前記原稿画像における、前記合成領域受付部により指定が受け付けられているオブジェクト合成領域に合成して、前記オブジェクト画像が合成された出力用合成画像を、前記複数のオブジェクトのそれぞれについて作成する画像作成部と、を備えるものである。
【０００７】
また、本発明の一局面にかかる画像形成装置は、前記情報処理装置と、記録媒体上に画像を形成する画像形成部と、前記出力用合成画像を前記画像形成部に画像形成させる制御部と、を備えるものである。
【０００８】
また、本発明の一局面にかかる画像処理システムは、前記情報処理装置と、当該情報処理装置と通信可能に接続された第２情報処理装置とを備えた画像処理システムであって、前記第２情報処理装置は、前記オブジェクトの指定をユーザーから受け付けて前記情報処理装置に送信するオブジェクト送信部を備え、前記情報処理装置の前記オブジェクト取得部が、前記第２情報処理装置から送信されてくる前記オブジェクトを取得するものである。
【発明の効果】
【０００９】
本発明によれば、一部分のみが異なり他部分が共通するドキュメントを複数作成する場合における作業負担と所要時間を低減することができる。
【図面の簡単な説明】
【００１０】
【図１】本発明の実施形態にかかる画像処理システムにおける画像形成装置の概観及び第２情報処理装置の外観を示す斜視図である。
【図２Ａ】本実施形態にかかる画像処理システムにおける画像形成装置の構成及び第２情報処理装置の構成を示すブロック図である。
【図２Ｂ】オブジェクトを記載した原稿を画像読取部に読み取らせる様子を概念的に示す図である。
【図３】必要項目を記入させるための予め定められた様式の書類であって、必要項目が未記入の状態を例示する図である。
【図４】画像形成装置による、出力用合成画像の作成に用いる雛形を生成する処理を示すフローチャートである。
【図５】画像形成装置の表示部に表示される表示画面の一例を示す図である。
【図６】ＰＣにおいてオブジェクトを指定する処理を示すフローチャートである。
【図７】ＰＣの表示部に表示される操作画面の一例を示す図である。
【図８】ＰＣの表示部に表示される操作画面の一例を示す図である。
【図９】ＰＣの表示部に表示される操作画面の一例を示す図である。
【図１０】モバイル機器の表示部に表示される操作画面の一例を示す図である。
【図１１】画像処理システムにより、セミナーの参加証明書であって、名前の記載のみを異ならせた当該証明書を複数枚印刷する場合の処理を示すフローチャートである。
【図１２】画像形成装置の表示部に表示される表示画面の一例を示す図である。
【図１３】原稿画像にオブジェクト画像を割り付ける様子を概念的に示す図である。
【図１４】画像形成装置による出力用合成画像の印刷物の一例を示す図である。
【発明を実施するための形態】
【００１１】
以下、本発明に係る情報処理装置、画像形成装置及び画像処理システムの一実施形態について図面を参照して説明する。図１は、本発明の実施形態にかかる画像処理システムにおける画像形成装置の概観及び第２情報処理装置の外観を示す斜視図である。図２Ａは、本実施形態にかかる画像処理システムにおける画像形成装置の構成及び第２情報処理装置の構成を示すブロック図である。
【００１２】
本実施形態の画像処理システム１００は、画像形成装置１０及びパーソナルコンピューター（以下、ＰＣ）３０を備える。
【００１３】
画像形成装置１０は、制御ユニット１１と、表示部１２と、操作部１４と、タッチパネル１５と、通信部１６と、画像読取部１７と、画像形成部１８と、データ記憶部１９とを備えている。これらの構成要素は、互いにバスを通じてデータ又は信号の送受信が可能とされている。画像形成装置１０は、特許請求の範囲における情報処理装置の一例である。
【００１４】
画像読取部１７は、例えば、原稿を光学的に読み取るスキャナーとしてのＣＣＤであり、この原稿の画像を示す画像データを生成する。画像読取部１７は、自動原稿送り装置により搬送される原稿やフラットベッド上に載置された原稿を読み取る一般的な読取機構である。
【００１５】
画像形成部１８は、感光体ドラムの表面を均一帯電させ、感光体ドラムの表面を露光して、感光体ドラムの表面に静電潜像を形成し、感光体ドラムの表面の静電潜像をトナー像に現像して、感光体ドラムの表面のトナー像（画像）を記録紙に転写して定着させる。例えば、画像読取部１７による原稿の読取で得られた原稿画像を記録紙に印刷する。
【００１６】
表示部１２は、液晶ディスプレイ（ＬＣＤ：Liquid Crystal Display）や有機ＥＬ（ＯＬＥＤ：Organic Light-Emitting Diode）ディスプレイなどから構成される。
【００１７】
操作部１４は、ユーザーからの操作指示の入力を受け付けるものであり、メニューを呼び出すメニューキー、メニューを構成するＧＵＩにおけるフォーカスを移動させる矢印キー、メニューを構成するＧＵＩに対して確定操作を行う決定キー、スタートキーなどを備えている。
【００１８】
通信部１６は、通信モジュールを備える通信インターフェイスであり、ＬＡＮや公衆回線などからなるネットワークＮを通じて、ＰＣ３０との間でデータ送受信を行う。
【００１９】
データ記憶部１９は、ＨＤＤ（Hard Disk Drive）などの大容量の記憶装置である。データ記憶部１９は、画像読取部１７による原稿読取で得られた各原稿画像を、後述する出力用合成画像の作成に用いる雛形として、当該各原稿画像について合成領域受付部２２により指定が受け付けられたそれぞれのオブジェクト合成領域と対応付けて記憶する。
【００２０】
制御ユニット１１は、プロセッサー、ＲＡＭ(Random Access Memory）、及びＲＯＭ（Read Only Memory）などから構成される。プロセッサーは、例えば、ＣＰＵ（Central Processing Unit）、ＭＰＵ、ＡＳＩＣである。この制御ユニット１１は、上記データ記憶部１９に記憶された制御プログラムが上記のプロセッサーで実行されることにより、制御部２１、合成領域受付部２２、データ変換部２３、画像作成部２４、及び原稿画像受付部２５として機能する。なお、制御ユニット１１の上記制御部２１、合成領域受付部２２、データ変換部２３、画像作成部２４、及び原稿画像受付部２５は、上記制御プログラムに基づく動作によらず、それぞれハード回路により構成されてもよい。
【００２１】
制御部２１は、画像形成装置１０の全体的な動作制御を司る。
【００２２】
合成領域受付部２２は、画像読取部１７による原稿読取で得られた原稿画像におけるオブジェクト合成領域の指定を、操作部１４に入力される指示に基づいて受け付ける。オブジェクト合成領域とは、後述するオブジェクトを示すオブジェクト画像が合成される領域である。ユーザーが、タッチパネル１５（特許請求の範囲における操作部の一例）の機能を用いて、上記原稿画像上においてオブジェクト画像を合成したい位置に所望の大きさの領域を指定すると（詳細は後述）、合成領域受付部２２に、当該位置及び指定された領域がオブジェクト合成領域として受け付けられる。
【００２３】
データ変換部（オブジェクト取得部の一例）２３は、画像読取部１７が読み取った読取画像をＯＣＲ変換し、当該変換により得たキャラクターデータをオブジェクトとして取得する。例えば、図２Ｂに示すように、ユーザーが、オブジェクトを記載した原稿を画像読取部１７に読み取らせると、当該読取で得られた画像をデータ変換部２３がＯＣＲ変換して当該オブジェクトをテキストデータとし、更に、当該テキストデータをＸＭＬデータに変換する。ＸＭＬデータに変換されたオブジェクトを示すデータは、オブジェクト情報としてデータ記憶部１９に記憶される。オブジェクト情報は、ここから生成されたオブジェクト画像が合成される原稿画像と対応付けて、データ記憶部１９に記憶される。
【００２４】
画像作成部２４は、データ記憶部１９が記憶しているオブジェクト、又は通信部１６に受信されたオブジェクト情報からオブジェクト画像を生成し、このオブジェクト画像を、上記原稿画像における、合成領域受付部２２により指定が受け付けられたオブジェクト合成領域に合成して、出力用合成画像を作成する。
【００２５】
原稿画像受付部２５は、オブジェクト合成による上記出力用合成画像の作成に用いる雛形としての原稿画像の指定を受け付ける。画像読取部１７により複数の原稿が読み取られて、上記雛形として複数の原稿画像が得られた場合、データ記憶部１９は雛形としての各原稿画像を記憶する。また、画像読取部１７による原稿読取で複数の原稿画像が得られた場合であって、ユーザーによる操作部１４の操作で、当該各原稿画像についてのそれぞれのオブジェクト合成領域が指定されると、合成領域受付部２２は、各原稿画像について指定されたそれぞれのオブジェクト合成領域を受け付け、データ記憶部１９は、当該各原稿画像を、当該各原稿画像に対応付けられたそれぞれのオブジェクト合成領域と対応付けて記憶する。原稿画像受付部２５は、このような複数の原稿画像の中から上記雛形として用いる所望の原稿画像の指定をユーザーから受け付ける。
【００２６】
なお、画像作成部２４は、原稿画像受付部２５によって受け付けられた指定が示す原稿画像及びこれ対応付けられたオブジェクト情報をデータ記憶部１９から読み出し、当該オブジェクト情報から生成したオブジェクト画像を、当該読み出した原稿画像における上記オブジェクト合成領域に合成する。
【００２７】
一方、ＰＣ３０は、制御ユニット３１０と、表示部３２と、操作部３３と、記憶部３４と、通信部３５とを備えている。これらの構成要素は、互いにバスを通じてデータ又は信号の送受信が可能とされている。ＰＣ３０は、特許請求の範囲における第２情報処理装置の一例である。
【００２８】
表示部３２は、液晶ディスプレイや有機ＥＬディスプレイなどから構成される。
【００２９】
操作部３３は、ユーザーから各操作指示が入力されるものであり、キーボードやポインティングデバイス等からなる。
【００３０】
通信部３５は、通信モジュールを備える通信インターフェイスであり、ＬＡＮや公衆回線などからなるネットワークＮを通じて、データ通信を行う。通信部３５は、例えば、指示受付部３１２に指定が受け付けられてＸＭＬデータに変換されたオブジェクトを送信する。
【００３１】
記憶部３４は、ＨＤＤなどの大容量の記憶装置である。
【００３２】
制御ユニット３１０は、プロセッサー、ＲＡＭ、及びＲＯＭ等から構成される。プロセッサーは、ＣＰＵ（Central Processing Unit）、ＭＣＵ、ＡＳＩＣ等である。制御ユニット３１０は、上記記憶部３４に記憶された制御プログラムが上記のプロセッサーに実行されることにより、制御部３１１、及び指示受付部３１２として機能する。なお、制御ユニット３１０の制御部３１１、及び指示受付部３１２は、当該制御プログラムに基づく動作によらず、それぞれハード回路により構成されてもよい。
【００３３】
制御部３１１は、ＰＣ３０の全体的な動作制御を司る。制御部３１１は、通信部３５の通信動作を制御する機能を有する。例えば、通信部３５は、制御部３１１による制御のもと、ＬＡＮを通じて画像形成装置１０との間でデータを送受信する。また、制御部３１１は、表示部３２を制御して、表示部３２の画面に各種のウィンドウ等を表示する。
【００３４】
指示受付部３１２は、ユーザーによる操作部３３の操作に基づき、出力用合成画像の作成に用いるオブジェクトを特定する指示を受け付ける。当該オブジェクトは、上記雛形としての原稿画像に合成する対象とされる、テキスト又は画像等のデータである。また、指示受付部３１２は、当該指定されたオブジェクトを合成する原稿画像を指定する指示も、ユーザーによる操作部３３の操作に基づいて受け付ける。
【００３５】
本実施形態の画像処理システム１００における画像形成装置１０では、必要項目が記入される予め定められた様式の書類(例えば、各種届出用紙や証明書、表彰状等)であって、当該必要項目が未記入の書類を画像読取部１７により読み取り、この読取で得られた原稿画像を、出力用合成画像の生成に用いる雛形としてデータ記憶部１９が記憶する。すなわち、当該書類は、名前又はタイトル部分の記載のみが異なり、他の記載部分は共通する複数のドキュメントを作成するために用いられるものである。当該書類について説明する。
【００３６】
図３は、必要項目が記入される予め定められた様式の上記書類（以下原稿と称す）Ｇ１であって、必要項目が未記入の元原稿を示す図である。本実施形態では、原稿Ｇ１は、セミナーの参加証明書を例として用いている。当該原稿Ｇ１には、記入欄３１が設けられている。記入欄３１は、参加者の氏名が記入される欄である。
【００３７】
続いて、画像形成装置１０による、出力用合成画像（後述）の作成に用いる雛形を生成する処理について説明する。図４は、画像形成装置１０による、出力用合成画像の作成に用いる雛形を生成する処理を示すフローチャートである。
【００３８】
例えば、ユーザーが画像読取部１７に原稿Ｇ１をセットし、ユーザーによる操作部１４の操作で、上記雛形としての原稿画像の作成を開始する指示が入力され、この状態で、操作部１４に画像読取の実行指示が入力されると（Ｓ１でＹＥＳ）、制御部２１は、画像読取部１７に原稿Ｇ１を読み取らせる（Ｓ２）。
【００３９】
画像読取部１７による読取で原稿Ｇ１の原稿画像が生成されると、制御部２１は、当該原稿画像を表示部１２に表示させる（Ｓ３，図５）。この表示時に、ユーザーが、表示部１２の表示画面にタッチ操作を行って、図５に示すような表示画面Ｄ５０における２点Ｐ１，Ｐ２に接触すると、タッチパネル１５により、表示画面における当該２点の座標位置が受け付けられる（Ｓ４）。合成領域受付部２２は、当該２点を対角線とする矩形領域及びその位置を、オブジェクト合成領域として受け付ける（Ｓ５）。例えば、ユーザーは、原稿Ｇ１における上記記入欄３１に相当する位置に、上記操作によりオブジェクト合成領域を設定する。
【００４０】
このように、原稿Ｇ１の読取、及びオブジェクト合成領域の指定が完了すると、制御部２１は、当該原稿Ｇ１の原稿画像を、出力用合成画像の作成に用いる雛形として、Ｓ５で指定が受け付けられたオブジェクト合成領域と対応付けてデータ記憶部１９に記憶させる（Ｓ６）。
【００４１】
なお、複数の原稿に対して、それぞれ上記Ｓ１〜Ｓ５の処理が行われ、上記読取及びオブジェクト合成領域の指定が完了した場合は、制御部２１は、当該複数の原稿の原稿画像をそれぞれ雛形として、オブジェクト合成領域と対応付けてデータ記憶部１９に記憶させる。制御部２１は、当該複数の原稿画像に対して、原稿画像ＤＯＣ１、原稿画像ＤＯＣ２、原稿画像ＤＯＣ３…のように、識別番号を付した上で、データ記憶部１９に記憶させる。
【００４２】
次に、ＰＣ３０において出力用合成画像の作成に用いるオブジェクトを指定する処理を説明する。図６は、ＰＣ３０においてオブジェクトを指定する処理を示すフローチャートである。
【００４３】
ユーザーが、ＰＣ３０の操作部３３に、オブジェクト指定を開始する旨の指示を入力すると（Ｓ１１でＹＥＳ）、制御部３１１は、表示部３２に、図７に例を示すような、操作画面Ｄ１を表示させる（Ｓ１２）。この操作画面Ｄ１は、オブジェクトを指定するために必要な各種指示を受け付けるための画面である。当該操作画面Ｄ１には、各種の指示を受け付けるための画像が含まれている。
【００４４】
この操作画面Ｄ１の表示時において、制御部３１１は、デフォルトでは、上記原稿画像ＤＯＣ１に対するオブジェクトを設定するための画面としている。制御部３１１は、操作画面Ｄ１の原稿画像表示欄ｄ１０に、オブジェクト設定の対象とされる原稿画像の識別番号を表示させている。この例では、操作画面Ｄ１には、原稿画像表示欄ｄ１０に、オブジェクト設定の対象とされる「原稿画像ＤＯＣ１」を示す画像として、「１／１」が表示されている。この「１／１」は、オブジェクト設定の対象とされる原稿画像の数を分母側に示し、オブジェクト設定中の原稿画像に付された識別番号（この例では、「ＤＯＣ１」の「１」部分）を分子側に示している。さらに、操作画面Ｄ１は、オブジェクト入力欄ｄ１１〜ｄ１３を有している。
【００４５】
この操作画面Ｄ１の表示状態で、操作部３３の操作により、ユーザーが、オブジェクト入力欄ｄ１１を指定した上で、オブジェクトとして用いる。例えばテキストを入力すると（Ｓ１３でＹＥＳ）、指示受付部３１２は、当該テキストを、オブジェクト合成領域に合成するオブジェクトとして受け付ける（Ｓ１４）。同様に、ユーザーが、オブジェクト入力欄ｄ１２，ｄ１３に対してもそれぞれに同様の操作を行うことで、指示受付部３１２は、当該入力された各テキストを、原稿画像ＤＯＣ１におけるオブジェクト合成領域に合成するオブジェクトとして受け付ける。
【００４６】
例えば、ユーザーは、操作部３３を操作して、オブジェクト入力欄ｄ１１にJACKYを入力し、オブジェクト入力欄ｄ１２にARTOURを入力し、オブジェクト入力欄ｄ１３にSUMAILを入力すると、原稿画像ＤＯＣ１のオブジェクト合成領域に合成するオブジェクトとして、これらが受け付けられると共に、原稿画像ＤＯＣ１を当該入力されたそれぞれのオブジェクトに対して用いることを示す指示が指示受付部３１２に受け付けられる。
【００４７】
なお、ユーザーによる操作部３３の操作でオブジェクト追加ボタンｄ２１が操作されると、原稿画像ＤＯＣ１のオブジェクト合成領域に合成するオブジェクトを更に追加する指示が制御部３１１に受け付けられ、制御部３１１は、図８に例を示すように、操作画面Ｄ１に、更なるオブジェクト入力欄ｄ１４を表示させる。ユーザーが、オブジェクト入力欄ｄ１４に対しても、オブジェクト入力欄ｄ１１に対して行う場合と同様の操作を行うことで、指示受付部３１２は、当該入力された各テキストを、原稿画像ＤＯＣ１のオブジェクト合成領域に合成するオブジェクトとして受け付ける。
【００４８】
また、ユーザーが、他の原稿画像、例えば原稿画像ＤＯＣ２についての上記オブジェクト設定を行う場合は、原稿画像追加ボタンｄ３１の画像を操作すると、制御部３１１は、表示部３２に、図９に例を示すように、新たな操作画面Ｄ１１を表示する。
【００４９】
制御部３１１は、操作画面Ｄ１１の原稿画像表示欄ｄ１０に、オブジェクト設定の対象とされる他の原稿画像である「原稿画像ＤＯＣ２」を示す画像として、「２／２」を表示させる。この「２／２」は、オブジェクトの指定がされている原稿画像の数を分母側に示し、オブジェクト設定中の原稿画像に付された識別番号（この例では、「ＤＯＣ２」の「２」部分）を分子側に示している。さらに、操作画面Ｄ１１は、原稿画像表示欄ｄ１０の表示以外は操作画面Ｄ１と同様の構成である。操作画面Ｄ１１も、オブジェクト入力欄ｄ１１〜ｄ１３を有している。指示受付部３１２は、操作画面Ｄ１に対する場合と同様の操作に基づいて、原稿画像ＤＯＣ２のオブジェクト合成領域に合成するオブジェクトの指定を受け付ける。
【００５０】
上記のようにして、原稿画像のオブジェクト合成領域に合成するオブジェクトが指定された後、ユーザーが、操作画面Ｄ１又はＤ１１のデータ生成ボタンｄ５１を操作すると、ＸＭＬデータの生成指示が入力される（Ｓ１５でＹＥＳ）。指示受付部３１２は、この生成指示を受け付けて、上記受け付けられた各オブジェクトを示すＸＭＬデータを生成する（Ｓ１６）。指示受付部３１２で生成した当該ＸＭＬデータは、出力用合成画像の作成に用いるオブジェクトを示すオブジェクト情報として、当該オブジェクト情報が適用される原稿画像を示す識別情報と共に、通信部３５が、画像形成装置１０に送信する（Ｓ１７）。なお、当該指示受付部３１２及び通信部３５が、オブジェクト送信部の一例となる。
【００５１】
なお、画像形成装置１０では、通信部１６がオブジェクト取得部として、上記オブジェクト情報及び識別情報を受信し、制御部２１が、当該オブジェクト情報を、当該識別情報が示す原稿画像に対応付けて、データ記憶部１９に記憶させる。
【００５２】
また、画像処理システム１００では、ＰＣ３０に代えて、第２情報処理装置としてスマートフォン等のモバイル機器６０を適用することも可能である。画像処理システム１００において、第２情報処理装置としてモバイル機器６０を用いてオブジェクトを指定する処理を説明する。なお、モバイル機器６０の構成は、図２Ａに示したＰＣ３０の構成と同様であるが、記憶部３４としては、ＨＤＤではなくメモリーが用いられる。また、モバイル機器６０の表示部３２に制御部３１１が表示させる操作画面Ｄ２に対する操作は、ＰＣ３０の表示部３２に表示される操作画面Ｄ１に対する操作とほぼ同様である。
【００５３】
ユーザーが、モバイル機器６０の操作部３３に、オブジェクト指定を開始する旨の指示を入力すると、制御部３１１は、表示部３２に、図１０に例を示すような、操作画面Ｄ２を表示させる。
【００５４】
操作画面Ｄ２は、デフォルトでは、上記原稿画像ＤＯＣ１に対するオブジェクトの設定画面となっている。操作画面Ｄ２は、原稿画像表示欄ｄ１０、オブジェクト入力欄ｄ１１〜ｄ１３、オブジェクト追加ボタンｄ２１、原稿画像追加ボタンｄ３１、及びデータ生成ボタンｄ５１といった指示受付用画像を有している。操作画面Ｄ２に対する操作は、操作画面Ｄ２における上記各指示受付用画像の表示位置に対してユーザーがタッチ操作を行うことで、各指示受付用画像に対する操作が可能とされている。モバイル機器６０では、表示部３２に備えられるタッチパネル機能により、ユーザーによる上記各指示受付用画像に対するタッチ操作が検知される。モバイル機器６０は、ＰＣ３０の場合と同様の操作に基づいて、ＰＣ３０の場合と同様の処理を行う。画像形成装置１０では、通信部１６がオブジェクト取得部として、上記オブジェクト情報及び識別情報をモバイル機器６０から受信すると、制御部２１が、当該オブジェクト情報を、当該識別情報が示す原稿画像に対応付けて、データ記憶部１９に記憶させる。
【００５５】
このように、画像形成装置１０にオブジェクトが取得される手段は、データ変換部２３による取得、ＰＣ３０から通信部１６により取得、及び、モバイル機器６０から通信部１６により取得、の複数がある。いずれの手段によっても、画像形成装置１０にオブジェクトを取得させることが可能とされている。
【００５６】
続いて、画像処理システム１００により、セミナーの参加証明書であって、名前の記載のみを異ならせた当該証明書を複数枚印刷する場合の処理を説明する。図１１は当該処理を示すフローチャートである。
【００５７】
画像形成装置１０において、ユーザーによる操作部１４の操作により、出力用合成画像を作成する処理の実行指示が入力されると（Ｓ２１でＹＥＳ）、制御部２１は、表示部１２に、図１２に例を示すような、操作画面Ｄ３を表示させる（Ｓ２２）。操作画面Ｄ３は、ユーザーから、出力用合成画像の作成に用いる原稿画像の選択を受け付けるための画面である。操作画面Ｄ３は、例えば「複数の印刷物を作成します」等、これから行う処理を案内するメッセージと、データ記憶部１９に雛形として記憶されている各原稿画像を示す画像ＤＯＣ１〜ＤＯＣ３と、ＯＫボタンｄ７１とを有している。
【００５８】
この操作画面Ｄ３の表示時に、ユーザーが、操作画面Ｄ３において、画像ＤＯＣ１〜ＤＯＣ３のうち、出力用合成画像の作成に用いたい所望の原稿画像を表示している画像にタッチ操作を行って、更にＯＫボタンｄ７１にタッチ操作を行うと（Ｓ２３でＹＥＳ）、タッチパネル１５により、当該タッチ操作がされた位置に表示されている画像に対応付けられている原稿画像が、出力用合成画像の作成に用いる雛形として原稿画像受付部２５に受け付けられる（Ｓ２４）。
【００５９】
続いて、画像作成部２４は、上記受け付けた原稿画像に対応付けて記憶されているオブジェクト情報をデータ記憶部１９から読み出し（Ｓ２５）、当該オブジェクト情報であるＸＭＬデータから、原稿画像と同一種類のデータ形式（例えば、jpeg）からなるオブジェクト画像を生成する（Ｓ２６）。例えば、当該オブジェクト情報が示すオブジェクトの内容が、JACKY， ARTOUR， SUMAILの３つであるとき、画像作成部２４は、JACKY， ARTOUR， SUMAILを示すオブジェクト画像をそれぞれについて生成する。
【００６０】
そして、画像作成部２４は、Ｓ２４で受け付けられた原稿画像をデータ記憶部１９から読み出し（Ｓ２７）、当該原稿画像に、Ｓ２６で生成した上記作成したオブジェクト画像を、当該原稿画像におけるオブジェクト合成領域に合成することで、オブジェクト画像が合成された出力用合成画像を、上記複数のオブジェクトのそれぞれについて作成する（Ｓ２８）。
【００６１】
この例では、オブジェクトがJACKY， ARTOUR， SUMAILの３つであるので、図１３に例を示すように、画像作成部２４は、上記読み出した原稿画像のオブジェクト合成領域にJACKYを示すオブジェクト画像を合成した出力用合成画像ｉｍ１と、上記読み出した原稿画像のオブジェクト合成領域にARTOURを示すオブジェクト画像を合成した出力用合成画像ｉｍ２と、上記読み出した原稿画像のオブジェクト合成領域にSUMAILを示すオブジェクト画像を合成した出力用合成画像ｉｍ３とを作成する。
【００６２】
制御部２１は、当該作成された各出力用合成画像をデータ記憶部１９に記憶させる（Ｓ２７）。
【００６３】
更に、制御部２１は、上記作成された各出力用合成画像をそれぞれ、画像形成部１８に画像形成させる（Ｓ２８）。これにより、図１４に例を示すような、名前部分のみが異なり他部分は同一内容のセミナー参加証明書である印刷物が各１部ずつ、合計で３部得られる。
【００６４】
このように、上記実施形態によれば、名前部分等のみの記載が異なり、他の記載部分が共通する複数枚の印刷物を作成する場合に、作成する印刷物毎に、名前等を示すテキストや画像を挿入する作業は不要である。このため、図１４に例を示すような、名称部分のみが異なる複数のセミナー参加証明書ＤＣ１，ＤＣ２，ＤＣ３を印刷する場合における作業負担と所要時間が低減される。
【００６５】
なお、本発明は上記実施の形態の構成に限られず種々の変形が可能である。例えば、上記実施形態では、画像処理システム１００には、作成した出力用合成画像の画像形成までを行う画像形成装置を情報処理装置として用いる例を示しているが、出力用合成画像の作成までが可能であれば足りる場合は、本発明に係る情報処理装置として、パーソナルコンピューター等の適用も可能である。
【００６６】
なお、図１乃至図１４を用いて説明した上記実施形態の構成及び処理は、本発明の一例に過ぎず、本発明を当該構成及び処理に限定する趣旨ではない。
【符号の説明】
【００６７】
１０      画像形成装置
１１      制御ユニット
１２      表示部
１４      操作部
１５      タッチパネル
１６      通信部
１７      画像読取部
１８      画像形成部
１９      データ記憶部
２１      制御部
２２      合成領域受付部
２３      データ変換部
２４      画像作成部
２５      原稿画像受付部
３０      ＰＣ
３１      記入欄
３２      表示部
３３      操作部
３４      記憶部
３５      通信部
６０      モバイル機器
１００    画像処理システム
３１０    制御ユニット
３１１    制御部
３１２    指示受付部
ＤＯＣ１−ＤＯＣ３  画像
ｉｍ１−ｉｍ３  出力用合成画像
【図１】
2018038007.tif 000003
【図２Ａ】
2018038007.tif 000004
【図２Ｂ】
2018038007.tif 000005
【図３】
2018038007.tif 000006
【図４】
2018038007.tif 000007
【図５】
2018038007.tif 000008
【図６】
2018038007.tif 000009
【図７】
2018038007.tif 000010
【図８】
2018038007.tif 000011
【図９】
2018038007.tif 000012
【図１０】
2018038007.tif 000013
【図１１】
2018038007.tif 000014
【図１２】
2018038007.tif 000015
【図１３】
2018038007.tif 000016
【図１４】
2018038007.tif 000017